(57)【要約】【課題】不純物等の混入により利用価値の少ない初期雨水を除去し、利用価値の高い後続の雨水を貯蔵可能にする、構成が簡単で安価に製造可能な雨水貯蔵装置を提供する。【解決手段】上部が開放したタンク体２０を分離部３０により主タンク２１および補助タンク２５に分離する。補助タンクの上部には、回転可能にボルト２７で取り付けられた浮き板２６を設ける。タンク体２０の上部は、ヒンジ１３で連結されたカバー１１および連結部１２を有する上カバー１０で覆う。上カバー１０の連結部１２には、補助タンク２５の浮き板２６の上に連結管１４が設けられ、雨水を導く。初期雨水は、連結管１４から補助タンク２５へ導かれ、補助タンク２５が一杯になると、浮き板２６が補助タンク２５を閉じ、後続の雨水を主タンク２１に貯蔵する。【選択図】　　　図４
0003098703.tif 000002
【実用新案登録請求の範囲】
【請求項１】
上カバーおよびタンク体により構成され、前記上カバーは連結管を有し、前記タンク体は主タンクおよび補助タンクに部分的に分割され、該補助タンクの頂部には偏奇して回転可能な浮き板が設けられ、前記主タンクの下部外側にはコックが設けられ、前記連結管は前記補助タンクの上方に位置することを特徴とする初期雨水を除去可能な雨水貯蔵装置。
【請求項２】
前記保持タンクの上部は開放し、該上部は前記主タンクの上部より低く構成されていることを特徴とする請求項１に記載の初期雨水を除去可能な雨水貯蔵装置。
【請求項３】
前記上カバーはカバーおよびカバーにヒンジで連結された連結体を有し、前記連結管は前記連結体に設けられることを特徴とする請求項１又は２に記載の初期雨水を除去可能な雨水貯蔵装置。
【請求項４】
前記上カバーにはハンドルが設けられ、前記カバーを適宜持ち上げ可能にすることを特徴とする請求項１、２又は３に記載の初期雨水を除去可能な雨水貯蔵装置。
【請求項５】
前記主タンクの外側にレベルインジケータが設けられることを特徴とする請求項１、２、３又は４に記載の初期雨水を除去可能な雨水貯蔵装置。
【請求項６】
前記主タンクの底に水抜きバルブが設けられることを特徴とする請求項１乃至５の何れかに記載の初期雨水を除去可能な雨水貯蔵装置。
【請求項７】
前記補助タンクの底に水抜きバルブが設けられることを特徴とする請求項１乃至６の何れかに記載の初期雨水を除去可能な雨水貯蔵装置。
【考案の詳細な説明】
【０００１】
【考案の属する技術分野】
本考案は雨水貯蔵装置に関し、特に使用不能な初期雨水、即ち降雨の最初の雨水を除去し、利用可能なその後の雨水を貯蔵する雨水貯蔵装置に関する。
【０００２】
【従来の技術】
一般的な雨水の集水（雨水コレクション）装置は簡単な構造であり、導水管およびこれに連結された容器により構成されるのが普通である。そして、斯かる一般的な集水装置は、降雨時に所定の集水領域（例えば、屋根）に降った全ての雨水を、導水管を介して容器に導き貯蔵して使用する。
【０００３】
しかし、降雨の前に集水領域には木の葉、昆虫の卵および埃等が落下又は付着していることが多いので、降雨の初期の雨水はこれらの不純物により汚染しているのが普通である。更に、降雨の初期には、環境中の帯電粒子が通常時よりも多く、初期の雨水の導電度は比較的高く、従って初期の雨水の利用価値は少ない。
【０００４】
斯かる一般的な雨水集水装置は、（初期の雨水を含め）全ての雨水を集めて貯蔵するので、初期の雨水を選択的に除去又は廃棄できず、従って初期の雨水を含む集水された雨水は、使用不能であり且つ雨水をリサイクルするという目的を達成することができない又は高価な処理を必要とする。
【０００５】
本件考案の出願人の考案に係わり、その出願人により出願された台湾特許出願番号第８９２１７３０９号の「初期雨水の阻止機能を有する雨水集水装置」がある。この台湾特許出願番号第８９２１７３０９号は、複数のフィルタ装置および複数のタンクから構成され、これにより初期の雨水を阻止し処理する機能を与える設計である。
【０００６】
【考案が解決しようとする課題】
斯かる従来技術は、初期の雨水を効果的にフィルタして使用可能にするが、構造が複雑であり、製造および／又は維持コストが高くなる。また、フィルタ装置は、単にフィルタの目的のみに設計されているので、他の用途に適用可能にするフレキシビリティが欠如する。従って、この従来技術は改善の余地がある。
【０００７】
【考案の目的】
本考案は、従来技術の上述した課題乃至欠点に鑑みなされたものであり、初期の雨水を除去し、後続の高い使用価値のある雨水を貯蔵可能にする初期雨水を除去可能な雨水貯蔵装置を提供することを目的とする。
【０００８】
【課題を解決するための手段】
上述の目的を達成するために、本考案の初期雨水を除去可能な雨水貯蔵装置は、上カバーおよびタンク体により構成される。上カバーは、連結体およびヒンジで連結されたカバーを含み、連結体は、各種フィルタに連結可能な連結管と共に配置されている。タンク体は、デバイダ（分離部）で分離された主タンクおよび補助タンクを含んでおり、コック（栓）が主タンクの一側に設けられている。補助タンクの上部は開放しており、主タンクにアクセス可能である。カバーは、タンク体の頂部をカバーし、このカバーに設けられた連結管は、タンク体の補助タンクの頂部に配置されている。補助タンクは、使用不能な初期雨水を貯蔵し、主タンクは、使用可能な後続の雨水を貯蔵する。
【０００９】
好ましくは、上カバーには、ハンドルが取り付けられ、メンテナンス（維持）その他の目的で上カバーを適宜に持ち上げ可能にする。
【００１０】
好ましくは、透明な管で形成されたレベルインジケータ（又は水位指示器）をタンク体の主タンクの一側に設け、主タンク内の水レベル情報を提供可能にする。
【００１１】
好ましくは、浮き板をタンク体の補助タンクに取り付け、初期降雨の不純物が主タンク内に流入するのを阻止する。
【００１２】
また、好ましくは、主タンクおよび補助タンクの双方の底に水抜きバルブを設けている。
【００１３】
【考案の実施の形態】
以下、本考案による初期雨水を除去可能な雨水貯蔵装置（以下、単に雨水貯蔵装置という場合もある）の好適実施形態の構成および動作を、添付図面を参照して詳細に説明する。しかし、この説明は、本考案を限定するものではなく、本考案の一般的な原理を示すものであると理解されるべきである。
【００１４】
図１に示す如く、本考案の雨水貯蔵装置１は、上部カバー１０およびタンク体２０により構成される。上カバー１０は、カバー１１および連結体１２を含み、カバー１１および連結体１２は、ヒンジ１３により連結されている。連結体１２には、連結管１４が固定され、ハンドル１５がカバー１１の他側、即ちヒンジ１３が設けられた側と反対側に配置されている。タンク体２０は、主タンク２１および補助タンク２５により構成され、これら両タンク２１、２５はデバイダ３０によりタンク体２０の内部で分離されている。補助タンク２５の上部は開放し且つ主タンク２１の上部より低く構成されている。補助タンク２５の上部に設けられた浮き板２６は、補助タンク２５の上部にボルト２７で支持されている。透明な管で形成されたレベルインジケータ２３およびコック２４が、主タンク２１の側面に設けられている。水抜きバルブ２２および２８が、それぞれ主タンク２１および補助タンク２５の底に取り付けられている。
【００１５】
次に、図２を参照して説明する。ここで、上カバー１０は、タンク体２０の頂部を覆い、タンク体２０の開放した上端をシールする。連結管１４は、上カバー１０に取り付けられ、タンク体２０の補助タンク２５上に位置され、雨水フィルタ（図示せず）に連結されている。
【００１６】
この連結管１４は、雨水フィルタによりフィルタ（ろ過）された初期雨水を運ぶ。その重力により、ボルト２７をピボット（旋回軸）として浮き板２６をバイアス回転させる。そこで、補助タンク２５の頂部は開き、図３に示す如く、連結管１４の下の補助タンク２５内に初期の雨水を落下させる。
【００１７】
補助タンク２５内の初期雨水のレベルが徐々に高くなり、一杯になると、浮き板２６は雨水の浮力により補助タンク２５の頂部を閉じる。そこで、その後は、雨水は主タンク２１内に流入する。補助タンク２１の容量は、本考案の特定実施形態では１８リットルであり、これは使用不能な初期雨水を貯蔵するには十分である。そして、もっと利用価値のある後続の雨水は、主タンク２１へ導かれるが、この様子を図４に示す。本考案のこの実施形態では、主タンク２１の容量は、２５０リットルである。
【００１８】
主タンク２１の側面に取り付けられた透明な管で形成されたレベルインジケータ２３のレベルを監視することにより、主タンク２１内の水位は簡単に分かる。そして、主タンク２１内に貯蔵された雨水を使用するには、コック２４を介して行われる。主タンク２１の底に取り付けられた水抜きバルブ２２は、余り水を水抜きするものである。他方、補助タンク２５の底に取り付けられた水抜きバルブ２８は、使用不能な初期雨水を水抜きし、次の降雨時に初期雨水を貯蔵する。
【００１９】
上カバー１０のカバー１１は、取り付けられたヒンジ１３を介して（図１中に矢印で示す如く）持ち上げ可能であるので、メンテナンス作業者が、タンク体２０の内部を洗浄する際に好都合である。カバー１１に取り付けられたハンドル１５は、カバー１１の持ち上げおよびシールに便利である。浮き板２６の目的は、補助タンク２５内の不純物が主タンク２１へ運ばれるのを阻止するためである。補助タンク２５内には複数のリングを配置し、補助タンク２５内の不純物が主タンク２１内へ運ばれるのを一層効果的に防止可能である。
【００２０】
以上、本考案による初期雨水を除去可能な雨水貯蔵装置の好適実施形態の構成および動作を詳述した。しかし、斯かる実施形態は、本考案の単なる例示に過ぎず、何ら本考案を限定するものではないことに留意されたい。本考案の要旨を逸脱することなく、特定用途に応じて種々の変形変更が可能であること、当業者には容易に理解できよう。例えば、除去したい初期雨水の量は、補助タンクの容量を選定することにより決定可能である。必要に応じて、降雨の前に補助タンク内に所定容量の水を予め注水して実質的な補助タンクの容量を調節してもよい。また、補助タンクの側面にもレベルインジケータおよび／又はコックを設けてもよい。また、レベルインジケータは、上述した実施形態に示す透明な管ではなくフロート（浮き）その他任意のインジケータでもよい。例えば、タンクの側壁の全体又は一部をガラスその他の透明材料で形成してもよい。従って、本考案の技術的範囲は、上述した請求の範囲の記載に基づき決定されるべきである。
【００２１】
【考案の効果】
以上の説明から理解される如く、本考案の初期雨水を除去可能な雨水貯蔵装置によると、次の如き実用上の顕著な効果を有する。即ち、簡単な構成により、各種の不純物を含んでいる恐れのある予め決められた初期雨水を除き、その後の雨水のみを効果的に主タンクに貯蔵可能である。従って、主タンクに貯蔵される雨水は、不純物等の含有が少ない使用可能な又は利用価値の高い雨水である。
【００２２】
除去される初期雨水の量は、補助タンクの容量を選択することにより任意に決定可能である。補助タンクの容量を自由に変更できない場合には、降雨の前に所定の水を予め補助タンクに注水しておいてもよい。
【図面の簡単な説明】
【図１】本考案による初期雨水を除去可能な雨水貯蔵装置の好適実施形態の分解断面図である。
【図２】図１に示す本考案の初期雨水を除去可能な雨水貯蔵装置の組立状態における断面図である。
【図３】本考案による初期雨水を除去可能な雨水貯蔵装置の好適実施形態の初期雨水を補助タンクへ導いている様子を示す断面図である。
【図４】本考案による初期雨水を除去可能な雨水貯蔵装置の動作を示す断面図である。
【符号の説明】
１０　上カバー
１１　カバー
１２　連結部
１３　ヒンジ
１４　連結管
１５　ハンドル
２０　タンク体
２１　主タンク
２２、２８　水抜きバルブ
２３　レベルインジケータ
２４　コック
２５　補助タンク
２６　浮き板
２７　ボルト（旋回軸）
３０　分離部（デバイダ）
【図１】
0003098703.tif 000003
【図２】
0003098703.tif 000004
【図３】
0003098703.tif 000005
【図４】
0003098703.tif 000006